(57)【要約】      （修正有）【課題】陳列棚の棚板間の間隔が様々であっても、商品の装飾効果を維持できる陳列商品装飾具を提供する。【解決手段】陳列商品装飾具１１は商品陳列棚５２の前面にセットされ、陳列商品５１の前面を囲む装飾枠１８を有する。装飾枠１８は第１，第２枠部材１２，１３に分割されている。第１枠部材１２の両側の側枠部は第２枠部材１３の両側の扁平筒状をなす側枠部２１にスライド可能に挿入されている。第２枠部材１３の側枠部２１間の架設部２２の後部側の取付部２３に商品陳列棚５２の下面に吸着するための永久磁石２４が設けられている。【選択図】図４
0003214681.tif 000002
【実用新案登録請求の範囲】
【請求項１】
商品陳列棚の前面にセットされ、陳列商品の前面を囲む装飾枠を有する陳列商品装飾具。
【請求項２】
前記装飾枠を拡縮可能にした請求項１に記載の陳列商品装飾具。
【請求項３】
厚紙によって構成した請求項１または２に記載の陳列商品装飾具。
【請求項４】
前記装飾枠を２つの枠部材に分割し、その一方の枠部材の両側の側枠部を他方の枠部材の両側の扁平筒状をなす側枠部にスライド可能に挿入した請求項３に記載の陳列商品装飾具。
【請求項５】
前記一方の枠部材の前記側枠部間の架設部に商品陳列棚の下面に吸着するための永久磁石を設けた請求項４に記載の陳列商品装飾具。
【請求項６】
前記他方の枠部材の架設部を商品陳列棚の棚板部の隙間に挿入できるようにした請求項５に記載の陳列商品装飾具。
【考案の詳細な説明】
【技術分野】
【０００１】
本考案は、商品陳列棚に陳列された商品を目立たせるための陳列商品装飾具に関するものである。
【背景技術】
【０００２】
特許文献１には、枠状の表記具が開示されている。この表記具は商品陳列棚の前面の棚札用レール部に取り付けられる。そして、枠内には電子棚札が設置される。電子棚札は、太陽電池や表示器を有し、商品に関する内容をＰＯＰ表記する。
【先行技術文献】
【特許文献】
【０００３】
【特許文献１】特開２００４−１３１６５号公報
【考案の概要】
【考案が解決しようとする課題】
【０００４】
特許文献１の表記具は、商品名や価格などの商品に関する情報を枠内において表示するものであって、商品陳列棚に陳列された商品そのものを目立たせるものではない。従って、消費者に対して商品の購買意欲をかき立たせる効果は乏しい。
【０００５】
本考案の目的は、消費者に対して商品の購買意欲をかき立たせることができる陳列商品装飾具を提供することにある。
【課題を解決するための手段】
【０００６】
上記の目的を達成するために、本考案は、商品陳列棚の前面にセットされ、陳列商品の前面を囲む装飾枠を有することを特徴とする。
以上の構成においては、棚板部上の商品に対する装飾効果を発揮できる。
【考案の効果】
【０００７】
本考案によれば、商品の装飾効果を発揮できる効果がある。
【図面の簡単な説明】
【０００８】
【図１】第１実施形態の陳列商品装飾具を正面視した斜視図。
【図２】同じく陳列商品装飾具を裏面視した斜視図。
【図３】同じく陳列商品装飾具の分解斜視図。
【図４】同じく陳列商品装飾具の使用状態を示す斜視図。
【図５】同じく陳列商品装飾具の使用状態を示す断面図。
【図６】同じく下部支持部の部分の断面図。
【図７】第２実施形態の陳列商品装飾具を正面視した斜視図。
【図８】同じく陳列商品装飾具を裏面視した斜視図。
【図９】同じく陳列商品装飾具の使用状態を示す断面図。
【考案を実施するための形態】
【０００９】
（第１実施形態）
以下に、本考案を具体化した第１実施形態の陳列商品装飾具を図面に従って説明する。
図１〜図３に示すように、全体として四角枠状をなす陳列商品装飾具１１は、全体が厚紙によって構成され、下側の第１枠部材１２と、上側の第２枠部材１３とによって構成されている。
【００１０】
下側の前記第１枠部材１２は、陳列商品装飾具１１の下辺を形成する基枠部１４と、その基枠部１４の両端から上方に延出され、陳列商品装飾具１１の側辺を形成する側枠部１５とにより構成されている。前記基枠部１４は、側枠部１５側の第１片１６と外側の第２片１７とにより構成されている。基枠部１４と側枠部１５との間及び第１片１６と第２片１７との間には折り曲げライン３１が設けられている。
【００１１】
前記第２枠部材１３は、扁平筒状の側枠部２１と、両側枠部２１の上端間に架設された架設部２２とを備えている。そして、この側枠部２１に前記第１枠部材１２の側枠部１５が上下方向にスライド可能に挿入されている。前記基枠部１４の第１片１６，両側枠部１５，２１及び前記架設部２２により装飾枠１８が構成されている。
【００１２】
前記架設部２２にはその後部側に折り曲げライン３１を介して取付部２３が設けられている。この取付部２３の上面の両端部にはゴム磁石などよりなる永久磁石２４が貼付されている。
【００１３】
前記第２片１７の前面には透明板２５が設けられている。この透明板２５は、その下端部と両端部において第１片１６に貼着されている。従って、透明板２５及び第１片１６の上端間の隙間から商品名や価格などを記したカード（図示しない）を挿入して、表示させることができる。
【００１４】
第２枠部材１３の架設部２２には、その裏面に貼着された重ね部２７が設けられている。この重ね部２７の貼着により、架設部２２の剛性が向上されている。
前記第１枠部材１２及び第２枠部材１３の前面の所要箇所に模様やキャッチフレーズなどが表示される。
【００１５】
以上のように構成された陳列商品装飾具１１の作用を説明する。
陳列商品装飾具１１は、以下のようにして使用される。すなわち、図４〜図６に示すように、商品５１が陳列された陳列棚５２において、目立たせたい商品５１が陳列商品装飾具１１の装飾枠１８内に位置するように、陳列商品装飾具１１を陳列棚５２の前面位置にセットする。この場合、陳列商品装飾具１１の基枠部１４の架設部を構成する第１片１６を側枠部１５に沿うように折り畳んで、その第１片１６及び側枠部２１の下端部を陳列棚５２の棚板部５３の前板部５４と、その前面の押さえ板５５との間の隙間に挿入する。このようにすれば、陳列商品装飾具１１の下部側が陳列棚５２の前面部に支持される。なお、図５及び図６においては、理解を容易にするために、実際の形状よりも、前板部５４及び押さえ板５５を厚く描くとともに、それらの間の間隔を広く描いている。
【００１６】
また、陳列棚５２の上下の棚板部５３間の間隔に対応するように、第１枠部材１２及び第２枠部材１３の両側枠部１５，２１の長さをスライドによって調節して、装飾枠１８の高さを拡縮調節する。そして、架設部２２の後部側の取付部２３を上側の棚板部５３の下面に位置させて、取付部２３の永久磁石２４をその棚板部５３の下面に吸着させる。なお、棚板部５３は、通常スチール板によって構成されている。
【００１７】
このようにすれば、棚板部５３の所要の商品が陳列商品装飾具１１の装飾枠１８内に位置し、その所要の商品があたかも額内の絵画のようになり、その商品を目立たせて、商品に対する消費者の購買意欲をかき立たせることができる。
【００１８】
従って、本実施形態においては、以下の効果がある。
（１）陳列商品装飾具１１の装飾枠１８内に所要の商品を位置させることができて、その商品を目立たせることができる。このため、消費者の購買意欲をかき立たせることができる。
【００１９】
（２）第１枠部材１２及び第２枠部材１３の両側枠部１５，２１の長さを調節して、陳列棚５２の上下の棚板部５３の上下間隔に応じて装飾枠１８の高さを調節できる。このため、陳列棚５２の上下の棚板部５３の間隔が様々であっても、その上下の棚板部５３間に装飾枠１８を隙間が形成されることなく配置できる。従って、棚板部５３上の商品５１に対する装飾効果をさらに高めることができる。
【００２０】
（３）陳列商品装飾具１１を陳列棚５２の前面部にセットした状態では、第２片１７が陳列棚５２の下側の棚板部５３の前板部５４の前面に位置するため、その第２片１７の透明板２５に商品５１の種類や価格などの情報を記したカードを差し込み保持できる。このため、消費者の購買意欲をさらにかき立たせることができて、購買行動を促すことができる。
【００２１】
（第２実施形態）
次に、本考案を具体化した第２実施形態の陳列商品装飾具１１を説明する。
図９に示すように、第２実施形態の陳列商品装飾具１１は、陳列棚５２の上下の複数の棚板部５３を上下に縦断するように設置される。
【００２２】
図７及び図８に示すように、上側の第２枠部材１３は、前記第１実施形態と異なり、取付部２３及び永久磁石２４を有しない。第２枠部材１３の側枠部２１は、その下端に扁平な環状部２１１を備えている。環状部２１１の上部側において、側枠部２１の外側縁には後方に向かって折り曲げライン３１を介して折り曲げ部２１２が形成され、その折り曲げ部２１２の下端には、折り曲げライン３１を介して設置部２１３が形成されている。折り曲げ部２１２の下部における折り曲げライン３１と隣接する位置には、下方に開口するスリット２１４が形成されている。
【００２３】
第２枠部材１３の側枠部１５の環状部２１１における上下方向の中間部には第１片１６と第２片１７とよりなる基枠部１４がその第１片１６の両端の貼付部１４１において貼着されている。
【００２４】
第１枠部材１２の側枠部１５の上下両端は自由端になっている。言い換えれば、第１枠部材１２の２枚の側枠部１５は単純な帯状に形成されている。従って、第２実施形態においては、陳列商品装飾具１１は下部が開放されて全体として門形状をなす。
【００２５】
第２枠部材１３の架設部２２及び側枠部２１には、それらの裏面に貼着された重ね部２６が設けられている。この重ね部２６の貼着により、架設部２２及び側枠部２１の剛性が向上されている。
【００２６】
以上のように構成された第２実施形態の陳列商品装飾具１１は、例えば、図９に示すように、陳列棚５２の最上段の棚板部５３の上面に設置部２１３が設置される。そして、下方の適当な棚板部５３の前面に基枠部１４の第１片１６が支持される。そして、第１枠部材１２の側枠部１５の下端が最下端の棚板部５３の前面に支持される。
【００２７】
このようにして、複数段の棚板部５３上の商品に対する装飾を施すことができる。
従って、第２実施形態においては、以下の効果がある。
（４）複数の棚板部５３の商品５１を装飾枠１８内に位置させて装飾を施すことができるため、多数の商品に対する購買意欲をかき立たせることができる。
【００２８】
（変更例）
本考案は前記実施形態に限定されるものではなく、以下のような態様で具体化してもよい。
【００２９】
・永久磁石２４を下部側の側枠部１５を外嵌する側枠部２１の裏面に設けること。このような構成においては、永久磁石２４は、陳列棚５２の縦枠に吸着される。
・第２実施形態の構成において、第２枠部材１３の基枠部１４を省略すること。
【００３０】
・陳列商品装飾具１１を段ボール、あるいは、段ボールに厚紙を貼着したものによって構成すること。
・陳列商品装飾具１１をＰＥＴ（ポリエチレンテレフタレート）などの合成樹脂板によって構成すること。
【００３１】
・陳列商品装飾具１１を他の材質、例えば、ステンレススチールの薄板やアルミまたはアルミ合金の薄板によって構成すること。
・前記第１，第２実施形態では、側枠部１５，２１間を伸縮可能にしたが、伸縮構造を省略すること。
【００３２】
・陳列商品装飾具１１を左右に伸縮可能に構成すること。
【符号の説明】
【００３３】
１１…陳列商品装飾具、１２…第１枠部材、１３…第２枠部材、１５…側枠部、１８…装飾枠、２１…側枠部、２２…架設部、２４…永久磁石。
【図１】
0003214681.tif 000003
【図２】
0003214681.tif 000004
【図３】
0003214681.tif 000005
【図４】
0003214681.tif 000006
【図５】
0003214681.tif 000007
【図６】
0003214681.tif 000008
【図７】
0003214681.tif 000009
【図８】
0003214681.tif 000010
【図９】
0003214681.tif 000011